(57)【要約】【課題】硬貨の回収作業を効率よく行うとともに、硬貨の回収作業中に作業者が回収容器等を支える必要がなく、また、硬貨処理装置の構造を複雑にしたり大型にしたりする必要がないこと。【解決手段】硬貨回収用部材１０は硬貨処理装置１００に対して取り外し自在になっている。出金トレー１９２は、開口部１９３ａが形成されたトレー本体１９３と、開口部１９３ａを開閉する開閉部１９４と、を有し、開閉部１９４が開状態にあるときに筐体１０５から外部に繰り出された硬貨が開口部１９３ａを経て落下するようになっている。硬貨回収用部材１０は、本体部２０と、本体部２０の少なくとも一部をトレー本体１９３の下方に位置づけて取り付けるための取付部３０と、本体部２０の少なくとも一部がトレー本体１９３の下方に位置づけられた状態で、開口部１９３ａを経て落下した硬貨を受け入れる受入部４０と、を備えている。【選択図】図２
2015219889.tif 000002
【特許請求の範囲】
【請求項１】
筐体と、前記筐体から外部に繰り出される硬貨を受ける出金トレーと、を有し、前記出金トレーが、開口部が形成されたトレー本体と、前記開口部を開閉する開閉部と、を有し、前記開閉部が開状態にあるときに前記筐体から外部に繰り出された硬貨が前記開口部を経て落下するようになった硬貨処理装置に対して取り外し自在になった硬貨回収用部材であって、
本体部と、
前記本体部の少なくとも一部を前記トレー本体の下方に位置づけて取り付けるための取付部と、
前記本体部の少なくとも一部が前記トレー本体の下方に位置づけられた状態で、前記開口部を経て落下した硬貨を受け入れる受入部と、
を備えたことを特徴とする硬貨回収用部材。
【請求項２】
前記取付部は、前記筐体又は前記出金トレーに係合することで前記本体部を前記硬貨処理装置に取り付けることを特徴とする請求項１に記載の硬貨回収用部材。
【請求項３】
前記受入部は、前記開口部を経て落下した硬貨を内部に収納する収納体になっていることを特徴とする請求項１又は２のいずれかに記載の硬貨回収用部材。
【請求項４】
前記受入部は、下面が開口しており、前記開口部を経て落下した硬貨を前記受入部の下方へ落下させることを特徴とする請求項１又は２のいずれかに記載の硬貨回収用部材。
【請求項５】
前記受入部の下方に設けられた収容部をさらに備えたことを特徴とする請求項４に記載の硬貨回収用部材。
【請求項６】
前記受入部は柔軟性を有する部材からなり、
前記受入部の下端近傍に錘が設けられたことを特徴とする請求項４又は５のいずれかに記載の硬貨回収用部材。
【請求項７】
前記本体部は、前記取付部を含む第一本体部材と、前記受入部を含む第二本体部材とに分離可能となることを特徴とする請求項１乃至６のいずれか１項に記載の硬貨回収用部材。
【請求項８】
前記第一本体部材と前記第二本体部材とは、これら第一本体部材と第二本体部材との分離を防止するストッパ機構を用いて連結されることを特徴とする請求項７に記載の硬貨回収用部材。
【請求項９】
前記本体部の外面に設けられた把持部をさらに備えたことを特徴とする請求項１乃至８のいずれか１項に記載の硬貨回収用部材。
【請求項１０】
前記本体部を前記硬貨処理装置に取り付けた際に、前記出金トレーの前記開閉部を開状態にするための開き機構部をさらに備えたことを特徴とする請求項１乃至９のいずれか１項に記載の硬貨回収用部材。
【請求項１１】
筐体と、前記筐体から外部に繰り出された硬貨を受ける出金トレーと、を有する硬貨処理装置と、
前記硬貨処理装置に対して取り外し自在になった硬貨回収用部材と、
を備え、
前記出金トレーが、開口部が形成されたトレー本体と、前記開口部を開閉する開閉部と、を有し、
前記開閉部が開状態にあるときに前記筐体から外部に繰り出された硬貨が前記開口部を経て落下するようになり、
前記硬貨回収用部材は、本体部と、前記本体部を前記硬貨処理装置に取り付けるための取付部と、前記本体部が前記取付部によって前記硬貨処理装置に取り付けられた状態で、前記開口部を経て落下した硬貨を受け入れる受入部と、を有することを特徴とする回収用部材付き硬貨処理装置。
【請求項１２】
前記硬貨処理装置は、前記トレー本体に硬貨が残っているかを検知するための残留検知センサ又は前記トレー本体内に硬貨が所定量以上収容されているかを検知するための収容量検知センサをさらに有し、
前記硬貨回収用部材を前記硬貨処理装置に取り付けた際に、前記残留検知センサ又は前記収容量検知センサは前記硬貨回収用部材によって遮蔽されないことを特徴とする請求項１１に記載の回収用部材付き硬貨処理装置。
【請求項１３】
前記硬貨回収用部材を前記硬貨処理装置に取り付けた際に前記出金トレーの前記開閉部を開状態にするための開き機構、及び、前記開閉部に設けられ、前記硬貨回収用部材が前記硬貨処理装置に取り付けられていないときに前記出金トレーの前記開閉部を閉状態にするための閉じ機構のうち少なくともいずれか一方が設けられていることを特徴とする請求項１１又は１２のいずれかに記載の回収用部材付き硬貨処理装置。
【請求項１４】
前記硬貨回収用部材の種類を判別するための判別機構をさらに備えたことを特徴とする請求項１１乃至１３のいずれか１項に記載の回収用部材付き硬貨処理装置。
【発明の詳細な説明】
【技術分野】
【０００１】
本発明は、硬貨処理装置で用いられる硬貨回収用部材と、当該硬貨回収用部材が取り付けられた回収用部材付き硬貨処理装置に関する。
【背景技術】
【０００２】
従来から、硬貨を受け入れるための硬貨受入部と、硬貨受入部から受け入れられた硬貨を金種別に収納するための金種別収納部と、金種別収納部から繰り出された硬貨を払い出すための出金トレーと、を備えた硬貨処理装置が知られている（例えば、特許文献１参照）。特許文献１に開示された硬貨処理装置は、出金トレーの底面の少なくとも一部分が開口して出金トレーへ回収される回収硬貨を下方へ流出させる開口部と、開口部を開閉するとともに閉塞時には出金トレーの底面を構成する開閉部と、を備えることが開示されている。
【０００３】
しかしながら、このような特許文献１に開示された硬貨処理装置では、硬貨の回収作業中に開口部を経て落下する回収硬貨を受け取るための回収容器を作業者が支える必要があることから、作業者が疲れるだけでなく、作業者が紙幣の回収処理や伝票の処理等の他の作業を行えない。また、回収容器用専用置き台を設けることも考えられるが、このような回収容器用専用置き台を設けてしまうと使用しないときに邪魔になるだけでなく、例えばレジ台に改造を加える必要があるためコストアップにつながる。なお、硬貨処理装置内の硬貨を回収する作業は典型的には一日に１回〜２回程度であり、その頻度は低く、上述のような回収容器用専用置き台を設けてしまうと、概ねの時間で利用されない回収容器用専用置き台によって、無駄にスペースを取られてしまうこととなる。
【０００４】
また、別の従来例としては、硬貨を受け入れるための硬貨受入部と、硬貨受入部から受け入れられた硬貨を金種別に収納する金種別収納部と、金種別収納部から繰り出された硬貨を払い出すための出金トレーと、を備えた硬貨処理装置において、硬貨払出搬送部から落下する硬貨の落下経路を硬貨払出搬送部から落下する硬貨を出金トレーに案内する払出経路に設定する払出位置と、落下経路を硬貨払出搬送部から落下する硬貨を出金トレーとは異なる場所に案内する回収経路に設定する回収位置と、の間でハウジングに対して移動自在となった経路切替部材を設けることが知られている（特許文献２参照）。
【０００５】
しかしながら、このような特許文献２に開示された態様では、硬貨処理装置内に経路切替部材を設けなければならないので、構造が複雑化し、硬貨処理装置の製造コストが高くなったり硬貨処理装置が大型化してしまったりする。また、このような経路切替部材を設けると、硬貨処理装置内でジャムや故障が発生する可能性も高くなる。
【先行技術文献】
【特許文献】
【０００６】
【特許文献１】特許第３８６７７４８号
【特許文献２】特開２００４−１９９５９３号公報
【発明の概要】
【発明が解決しようとする課題】
【０００７】
本発明は、このような点を鑑みてなされたものであり、硬貨の回収作業を効率よく行うことができるとともに、硬貨の回収作業中に作業者が回収容器等を支える必要がなく、また、硬貨処理装置の構造を複雑にしたり大型にしたりする必要がない硬貨回収用部材と、このような硬貨回収用部材を備えた回収用部材付き硬貨処理装置を提供する。
【課題を解決するための手段】
【０００８】
本発明による硬貨回収用部材は、
筐体と、前記筐体から外部に繰り出される硬貨を受ける出金トレーと、を有し、前記出金トレーが、開口部が形成されたトレー本体と、前記開口部を開閉する開閉部と、を有し、前記開閉部が開状態にあるときに前記筐体から外部に繰り出された硬貨が前記開口部を経て落下するようになった硬貨処理装置に対して取り外し自在になった硬貨回収用部材であって、
本体部と、
前記本体部の少なくとも一部を前記トレー本体の下方に位置づけて取り付けるための取付部と、
前記本体部の少なくとも一部が前記トレー本体の下方に位置づけられた状態で、前記開口部を経て落下した硬貨を受け入れる受入部と、
を備えている。
【０００９】
本発明による硬貨回収用部材において、
前記取付部は、前記筐体又は前記出金トレーに係合することで前記本体部を前記硬貨処理装置に取り付けてもよい。
【００１０】
本発明による硬貨回収用部材において、
前記受入部は、前記開口部を経て落下した硬貨を内部に収納する収納体になっていてもよい。
【００１１】
本発明による硬貨回収用部材において、
前記受入部は、下面が開口しており、前記開口部を経て落下した硬貨を前記受入部の下方へ落下させてもよい。
【００１２】
本発明による硬貨回収用部材は、
前記受入部の下方に設けられた収容部をさらに備えてもよい。
【００１３】
本発明による硬貨回収用部材において、
前記受入部は柔軟性を有する部材からなり、
前記受入部の下端近傍に錘が設けられてもよい。
【００１４】
本発明による硬貨回収用部材において、
前記本体部は、前記取付部を含む第一本体部材と、前記受入部を含む第二本体部材とに分離可能となってもよい。
【００１５】
本発明による硬貨回収用部材において、
前記第一本体部材と前記第二本体部材とは、これら第一本体部材と第二本体部材との分離を防止するストッパ機構を用いて連結されてもよい。
【００１６】
本発明による硬貨回収用部材において、
前記本体部の外面に設けられた把持部をさらに備えてもよい。
【００１７】
本発明による硬貨回収用部材は、
前記本体部を前記硬貨処理装置に取り付けた際に、前記出金トレーの前記開閉部を開状態にするための開き機構部をさらに備えてもよい。
【００１８】
本発明による回収用部材付き硬貨処理装置は、
筐体と、前記筐体から外部に繰り出された硬貨を受ける出金トレーと、を有する硬貨処理装置と、
前記硬貨処理装置に対して取り外し自在になった硬貨回収用部材と、
を備え、
前記出金トレーが、開口部が形成されたトレー本体と、前記開口部を開閉する開閉部と、を有し、
前記開閉部が開状態にあるときに前記筐体から外部に繰り出された硬貨が前記開口部を経て落下するようになり、
前記硬貨回収用部材は、本体部と、前記本体部を前記硬貨処理装置に取り付けるための取付部と、前記本体部が前記取付部によって前記硬貨処理装置に取り付けられた状態で、前記開口部を経て落下した硬貨を受け入れる受入部と、を有する。
【００１９】
本発明による回収用部材付き硬貨処理装置において、
前記硬貨処理装置は、前記トレー本体に硬貨が残っているかを検知するための残留検知センサ又は前記トレー本体内に硬貨が所定量以上収容されているかを検知するための収容量検知センサをさらに有し、
前記硬貨回収用部材を前記硬貨処理装置に取り付けた際に、前記残留検知センサ又は前記収容量検知センサは前記硬貨回収用部材によって遮蔽されなくてもよい。
【００２０】
本発明による回収用部材付き硬貨処理装置において、
前記硬貨回収用部材を前記硬貨処理装置に取り付けた際に前記出金トレーの前記開閉部を開状態にするための開き機構、及び、前記開閉部に設けられ、前記硬貨回収用部材が前記硬貨処理装置に取り付けられていないときに前記出金トレーの前記開閉部を閉状態にするための閉じ機構のうち少なくともいずれか一方が設けられてもよい。
【００２１】
本発明による回収用部材付き硬貨処理装置は、
前記硬貨回収用部材の種類を判別するための判別機構をさらに備えてもよい。
【発明の効果】
【００２２】
本発明によれば、硬貨処理装置に対して取り外し自在になった硬貨回収用部材が提供される。本発明による硬貨回収用部材は、筐体から外部に繰り出された硬貨がトレー本体に形成された開口部を経て落下するようになった硬貨処理装置に対して取り外し自在になっている。そして、本発明による硬貨回収用部材は、本体部と、本体部を硬貨処理装置に取り付けるための取付部と、本体部が取付部によって硬貨処理装置に取り付けられた状態で、開口部を経て落下した硬貨を受け入れる受入部と、を備えている。このため、本発明によれば、硬貨の回収作業を効率よく行うことができるとともに、硬貨の回収作業中に作業者が回収容器等を支える必要がなく、また、硬貨処理装置の構造を複雑にしたり大型にしたりする必要がない。
【図面の簡単な説明】
【００２３】
【図１】図１は、本発明の実施の形態による貨幣処理システムの一部を示す斜視図である。
【図２】図２は、本発明の実施の形態による貨幣処理システムの一部を載置台に載置した態様を示す斜視図である。
【図３】図３は、本発明の実施の形態による貨幣処理システムの構成を示す概略構成図である。
【図４】図４は、本発明の実施の形態による貨幣処理システムの構成を簡略化して示した制御ブロック図である。
【図５】図５は、本発明の実施の形態による貨幣処理システムの構成を示した制御ブロック図である。
【図６】図６は、本発明の実施の形態による硬貨処理装置の外観を示す斜視図である。
【図７】図７は、本発明の実施の形態による硬貨処理装置で用いられる硬貨入金部、入金硬貨搬送部、金種別硬貨繰出収納部等を示した上方平面図である。
【図８】図８は、本発明の実施の形態による硬貨処理装置で用いられる出金硬貨搬送部、金種別硬貨繰出収納部等を示した上方平面図である。
【図９】図９は、本発明の実施の形態による硬貨処理装置で用いられる出金硬貨搬送部、硬貨入金部、金種別硬貨繰出収納部、硬貨出金部等を示した縦断面図である。
【図１０】図１０（ａ）は、本発明の実施の形態による硬貨処理装置の閉状態にある出金トレーを拡大して示した斜視図であり、図１０（ｂ）は、本発明の実施の形態による硬貨処理装置の開状態にある出金トレーを拡大して示した斜視図である。
【図１１】図１１（ａ）は、本発明の実施の形態による硬貨処理装置の出金トレーに硬貨回収用部材を取り付ける前の態様を示した斜視図であり、図１１（ｂ）は、本発明の実施の形態による硬貨処理装置の出金トレーに硬貨回収用部材を取り付けた後の態様を示した斜視図である。
【図１２】図１２（ａ）は、本発明の実施の形態による硬貨回収用部材を拡大して示した斜視図であり、図１２（ｂ）は、本発明の実施の形態による硬貨回収用部材を第一本体部材と第二本体部材に分離した態様を示した斜視図である。
【図１３】図１３（ａ）は、図２に示した態様において、硬貨回収用部材の受入部が収納体である場合を示した斜視図であり、図１３（ｂ）は、図１３（ａ）に示した図面を側方からみた側方図である。
【図１４】図１４（ａ）は、図２に示した態様において、硬貨回収用部材の受入部がシュートタイプである場合を示した斜視図であり、図１４（ｂ）は、図１４（ａ）に示した図面を側方からみた側方図である。
【図１５】図１５は、本発明の実施の形態で採用されうる別のタイプの硬貨処理装置を示した斜視図である。
【図１６】図１６は、本発明の実施の形態による硬貨回収用部材の受入部がシュートタイプである場合であって、下端近傍に錘を設けた態様を示した斜視図である。
【図１７】図１７（ａ）は、本発明の実施の形態において採用されうる開き機構及び閉じ機構の一例を説明するための側方図であり、出金トレーに硬貨回収用部材を取り付ける前の態様を示した側方図である。図１７（ｂ）は、本発明の実施の形態において採用されうる開き機構及び閉じ機構を説明するための側方図であり、出金トレーに硬貨回収用部材を取り付けた後の態様を示した側方図である。
【図１８】図１８（ａ）は、本発明の実施の形態において採用されうる開き機構及び閉じ機構の別の例を説明するための側方図であり、出金トレーに硬貨回収用部材を取り付ける前の態様を示した側方図である。図１８（ｂ）は、本発明の実施の形態において採用されうる開き機構及び閉じ機構を説明するための側方図であり、出金トレーに硬貨回収用部材を取り付けた後の態様を示した側方図である。
【図１９】図１９は、本発明の実施の形態において採用されうる判別機構の一例を説明するための側方図である。
【図２０】図２０（ａ）は、本発明の実施の形態において採用されうる判別機構の別の例を説明するための側方図であり、出金トレーに硬貨回収用部材を取り付ける前の態様を示した側方図である。図２０（ｂ）は、本発明の実施の形態において採用されうる判別機構を別の例を説明するための側方図であり、出金トレーに硬貨回収用部材を取り付けた後の態様を示した側方図である。
【図２１】図２１は、本発明の実施の形態で採用されうる変形例による硬貨回収用部材を拡大して示した斜視図である。
【図２２】図２２は、本発明の実施の形態で採用されうる別の変形例による硬貨回収用部材を拡大して示した斜視図である。
【発明を実施するための形態】
【００２４】
《構成》
以下、本発明に係る硬貨回収用部材、回収用部材付き硬貨処理装置及び貨幣処理システムの実施の形態について、図面を参照して説明する。ここで、図１乃至図２２は本発明の実施の形態を説明するための図である。なお、本願において「貨幣」とは「硬貨」、「紙幣」又は「硬貨」及び「紙幣」の両方のことを意味する。
【００２５】
本願の貨幣処理システムは、硬貨を処理する硬貨処理装置１００の他に、紙幣を処理する紙幣処理装置２００及び／又は棒金を収納するための棒金ドロア５０６を有する棒金管理装置５００を備えていてもよい（図１乃至図５参照）。また、本願の貨幣処理システムは、硬貨処理装置１００、紙幣処理装置２００及び棒金管理装置５００のいずれか１つ以上に接続されたＰＯＳレジスタ３００、パソコン、サーバ４００等を備えてもよい。硬貨処理装置１００の他に、紙幣を処理する紙幣処理装置２００及び／又は棒金を収納するための棒金管理装置５００を備えている場合には、硬貨処理装置１００と、紙幣処理装置２００及び／又は棒金管理装置５００とは、別体となっていてもよいし一体となっていてもよい。なお、例えば硬貨処理装置１００から見た場合には硬貨処理装置１００以外のあらゆる装置が外部装置に該当し、上述した例で言うと、紙幣処理装置２００、棒金管理装置５００、ＰＯＳレジスタ３００、パソコン、サーバ４００等が外部装置に該当する。
【００２６】
本実施の形態では、硬貨処理装置１００、紙幣処理装置２００、棒金管理装置５００、ＰＯＳレジスタ３００及びサーバ（例えば店舗サーバ）４００を備えた貨幣処理システムを用いて説明する。なお、図３乃至図５は、本実施の形態の貨幣処理システムの構成を示すための図面である。
【００２７】
図４及び図５に示すように、本実施の形態のＰＯＳレジスタ３００はサーバ４００に通信接続されている。そして、ＰＯＳレジスタ３００からサーバ４００に売上金情報等の情報が送信されるようになっている。また、各種設定情報等の情報が、サーバ４００からＰＯＳレジスタ３００（複数台でも可）に配信されるようになっている。
【００２８】
図４及び図５に示すように、硬貨処理装置１００は、後述する操作表示部１５２を含む硬貨処理装置１００の一部の部材や紙幣処理装置２００の一部の部材等を制御する上位制御部１０１と、硬貨処理装置１００を制御する硬貨制御部１０２を有しており、これらの上位制御部１０１及び硬貨制御部１０２は通信接続されている。また、紙幣処理装置２００は、紙幣処理装置２００を制御する紙幣制御部２０２を有しており、この紙幣制御部２０２は硬貨処理装置１００の上位制御部１０１に通信接続されている。また、棒金管理機５００は、棒金管理機５００を制御する棒金制御部５０２を有しており、この棒金制御部５０２は硬貨処理装置１００の上位制御部１０１に通信接続されている。また、図５に示すように、ＰＯＳレジスタ３００は、ＰＯＳレジスタ３００を制御するＰＯＳ制御部３０２を有しており、このＰＯＳレジスタ３００のＰＯＳ制御部３０２は硬貨処理装置１００の上位制御部１０１に通信接続されている。
【００２９】
そして、硬貨処理装置１００において硬貨の入金処理、出金処理、精査処理、回収処理等の様々な処理を行うと、硬貨処理装置１００の硬貨識別部１５０で識別された結果は硬貨処理装置１００からＰＯＳレジスタ３００に出力されて、当該結果が後述するＰＯＳ表示部３５１で表示される。また、紙幣処理装置２００において紙幣の入金処理、出金処理、精査処理、回収処理等の様々な処理を行うと、紙幣処理装置２００の紙幣識別部２５０で識別された結果も紙幣処理装置２００から上位制御部１０１を介してＰＯＳレジスタ３００に出力されて、当該結果がＰＯＳ表示部３５１で表示される。また、棒金管理機から出力される棒金の有無に関する情報、棒金の金種に関する情報等も棒金管理機５００から上位制御部１０１を介してＰＯＳレジスタ３００に出力されて、当該情報がＰＯＳ表示部３５１で表示される。
【００３０】
以下、紙幣処理装置２００、棒金管理機５００、ＰＯＳレジスタ３００及び硬貨処理装置１００の構成について、説明する。
【００３１】
《紙幣処理装置２００》
まず、本実施の形態の紙幣処理装置２００の構成について説明する。ちなみに、本実施の形態の紙幣処理装置２００は、スーパー、コンビニエンスストア、ショッピングモール、百貨店等の様々な場所で利用され、紙幣の入出金処理を行う紙幣釣銭機となっている。ところで、紙幣処理装置２００としてはこのような紙幣釣銭機には限られることはなく、例えば紙幣入金機、紙幣出金機、券売機、自動販売機等も含まれる。
【００３２】
図３に示すように、紙幣処理装置２００は、略直方体形状の紙幣筐体２０５と、紙幣を紙幣筐体２０５の外部から入金するための紙幣受入部２１０と、紙幣受入部２１０から入金された紙幣を搬送する紙幣搬送部２２０と、紙幣受入部２１０から入金された紙幣の金種等を識別して計数する紙幣識別部２５０と、紙幣搬送部２２０で搬送された紙幣を収納するとともに収納された紙幣を繰り出す紙幣収納部２６０と、リジェクト紙幣や紙幣収納部２６０に収納されていた紙幣を出金するための紙幣払出部２９０と、を備えている。なお、紙幣搬送部２２０は、図３に示すように、紙幣筐体２０５内の略中央部に設けられた環状の周回搬送部２２０ａと、紙幣受入部２１０、各紙幣収納部２６０、紙幣払出部２９０等と、周回搬送部２２０ａとの間をそれぞれ接続する複数の接続搬送部２２０ｂとを有している。ちなみに、周回搬送部２２０ａに紙幣識別部２５０が設けられている。
【００３３】
紙幣受入部２１０は、紙幣が入金されると自動で又は操作表示部１５２、操作部１５３
、ＰＯＳ操作部３５２等からの入力信号を受けて駆動されて当該紙幣を紙幣筐体２０５内に繰り出す入金紙幣操出部（図示せず）を有している。また、紙幣収納部２６０は、必要に応じて紙幣収納部２６０から紙幣を繰り出す出金紙幣繰出部（図示せず）を有している。
【００３４】
また、図３に示すように、紙幣搬送部２２０には、回収処理を行う際に紙幣収納部２６０から繰り出された紙幣を収納する回収カセット２３５が連結されている。なお、紙幣識別部２５０で識別された紙幣の金種を収納するための紙幣収納部２６０がフル（満杯）状態又はニアフル（ほぼ満杯）状態である場合には、この紙幣はオーバーフロー紙幣として、回収カセット２３５に収納される。
【００３５】
また、図３に示すように、紙幣搬送部２２０には、紙幣収納部２６０から繰り出された紙幣が紙幣識別部２５０によって識別できない場合に、当該紙幣（出金リジェクト紙幣）を収納する出金リジェクト部２３０が連結されている。
【００３６】
図５に示すように、紙幣処理装置２００の紙幣制御部２０２には、インターフェース２３２、紙幣受入部２１０、紙幣搬送部２２０、出金リジェクト部２３０、紙幣識別部２５０、紙幣収納部２６０、紙幣払出部２９０等がそれぞれ接続されている。そして、紙幣制御部２０２は、紙幣受入部２１０、紙幣搬送部２２０、出金リジェクト部２３０、紙幣識別部２５０、紙幣収納部２６０、紙幣払出部２９０等と信号の送受信を行い、これらを制御するように構成されている。なお、紙幣制御部２０２には、様々な情報を記憶する紙幣記憶部２０５と、カードに記録された情報を読み取るカードリーダ２７０と、紙幣収納部２６０、出金リジェクト部２３０、回収カセット２３５等の所定のユニットをロックしたり、紙幣収納部２６０、出金リジェクト部２３０、回収カセット２３５等の所定のユニットを解錠したりする電磁ロック部２７５も接続されている。
【００３７】
《棒金管理機５００》
次に、本実施の形態の棒金管理機５００について説明する。
【００３８】
図３に示すように、本実施の形態の棒金管理機５００は、棒金筐体５０５と、棒金筐体５０５に対して引き出し自在に設けられ、棒金を１本ずつ収納する棒金収納部５２０を複数個有する棒金ドロア５０６と、を備えている。なお、この棒金ドロア５０６内には、棒金以外にもバラ硬貨、紙幣、商品券等も収納することができる補助収納領域５３０が設けられていてもよい。
【００３９】
また、棒金ドロア５０６と棒金筐体５０５との間には、棒金制御部５０２に接続されたロータリエンコーダ（変位検出手段）（図示せず）が設けられており、棒金ドロア５０６の棒金筐体５０５に対する位置を検知することができるようになっている。そして、センサとロータリエンコーダ（変位検出手段）によって、棒金の直径を検知することで、棒金の有無を検知するだけでなく、棒金の金種の判定することができるようになっており、これらセンサとロータリエンコーダ（変位検出手段）によって、棒金検知部５８０（図５参照）が構成されている。ちなみに、本実施の形態では、棒金ドロア５０６の底面にスリット５２５が形成されており（図３参照）、このスリット５２５をセンサからの光が透過することで、棒金の直径や棒金の有無を検知することができるようになっている。なお、棒金収納部５２０内の棒金の有無及び金種を検知する手段としては、この方式に限定されず、各棒金収納部５２０に有無や金種（材質）を検知するセンサを配置してもよい。また、棒金筐体５０５には、棒金ドロア５０６を棒金筐体５０５に対して閉鎖位置に固定するロック部５６０（図５参照）が設けられている。また、本実施の形態の棒金管理機５００は、棒金筐体５０５に対して棒金ドロア５０６が開状態になっているか閉状態になっているかを検知する開閉検知部５７０（図５参照）も備えている。
【００４０】
図５に示すように、棒金管理機５００の棒金制御部５０２には、インターフェース５３２、棒金検知部５８０、開閉検知部５７０、ロック部５６０等がそれぞれ接続されている。そして、棒金制御部５０２は、棒金検知部５８０、開閉検知部５７０、ロック部５６０等と信号の送受信を行い、これらを制御するように構成されている。なお、棒金制御部５０２には、様々な情報を記憶する棒金記憶部５０５も接続されている。
【００４１】
《ＰＯＳレジスタ３００》
次に、本実施の形態のＰＯＳレジスタ３００の構成について説明する。ＰＯＳレジスタ３００は、商品の購入情報を登録するとともに、硬貨処理装置１００や紙幣処理装置２００に対して指令を入力して、硬貨や紙幣の入金処理、出金処理、精査処理、回収処理等を行わせるようになっている。
【００４２】
図５に示すように、ＰＯＳレジスタ３００のＰＯＳ制御部３０２は、硬貨処理装置１００の上位制御部１０１に通信接続されるとともに、サーバ４００にも通信接続されている。そして、このＰＯＳ制御部３０２は、硬貨処理装置１００の上位制御部１０１を介して硬貨制御部１０２、紙幣制御部２０２及び棒金制御部５０２に指令を送り、この結果、硬貨処理装置１００に対して硬貨の入金処理、出金処理、精査処理、回収処理等を行わせ、紙幣処理装置２００に対して紙幣の入金処理、出金処理、精査処理、回収処理等を行わせ、棒金管理機５００の棒金ドロア５０６のロックを解除させたりするようになっている。また、ＰＯＳ制御部３０２は、硬貨制御部１０２、紙幣制御部２０２及び棒金制御部５０２から、上位制御部１０１を介して、硬貨処理装置１００、紙幣処理装置２００及び棒金制御部５０２における硬貨、紙幣及び棒金の処理状況や在高に係る情報を受け取るようになっている。
【００４３】
図１に示すように、ＰＯＳレジスタ３００は、店員等の操作者が操作することのできるＰＯＳ操作部３５２と、商品の取引状況、硬貨処理装置１００における硬貨の処理状況、紙幣処理装置２００における紙幣の処理状況、硬貨処理装置１００の内部に収納された硬貨の在高、紙幣処理装置２００の内部に収納された紙幣の在高、棒金管理機５００の内部に収納された棒金の在高等を表示するＰＯＳ表示部３５１と、を備えている。そして、操作者は、ＰＯＳ操作部３５２を介してＰＯＳ制御部３０２（図５参照）に対して様々な指令を与えることができるようになっている。なお、上述したＰＯＳ表示部３５１には、顧客に対して商品の購入代金を示したりするための顧客用表示部３５１ａ（図１参照）が含まれている。
【００４４】
図５に示すように、ＰＯＳレジスタ３００のＰＯＳ制御部３０２は、インターフェース３３２を介して、硬貨処理装置１００の上位制御部１０１やサーバ４００に対して信号の送受信を行うようになっている。また、ＰＯＳ記憶部３０５には、硬貨処理装置１００における硬貨の処理状況、硬貨処理装置１００の内部に収納された硬貨の在高、紙幣処理装置２００における紙幣の処理状況、紙幣処理装置２００の内部に収納された紙幣の在高、棒金管理機５００の内部に収納された棒金の在高等の様々な情報が記憶されるようになっている。
【００４５】
なお、ＰＯＳレジスタ３００は、クレジットカード等の各種カードを読み取るカードリーダ３６０と、プリンター等からなる印字部３７０も有している。なお、ＰＯＳ表示部３５１で表示されるあらゆる情報やＰＯＳ記憶部３０５で記憶されているあらゆる情報は、当該印字部３７０で印字することができるようになっている。
【００４６】
図５に示すように、ＰＯＳレジスタ３００のＰＯＳ制御部３０２には、カードリーダ３６０、プリンタ等からなる印字部３７０、ＰＯＳ表示部３５１、ＰＯＳ操作部３５２、ＰＯＳ記憶部３０５、インターフェース３３２等がそれぞれ接続されている。そして、ＰＯＳ制御部３０２は、カードリーダ３６０、印字部３７０、ＰＯＳ表示部３５１、ＰＯＳ操作部３５２、ＰＯＳ記憶部３０５等と信号の送受信を行い、これらを制御するように構成されている。
【００４７】
《硬貨処理装置１００》
次に、本実施の形態の硬貨処理装置１００の構成について説明する。なお、図６乃至図９は、本実施の形態の硬貨処理装置１００の構成を示すための図面である。ちなみに、本実施の形態の硬貨処理装置１００は、紙幣処理装置２００と同様、スーパー、コンビニエンスストア、ショッピングモール、百貨店等の様々な場所で利用され、硬貨の入出金処理を行う硬貨釣銭機となっている。ところで、硬貨処理装置１００としてはこのような硬貨釣銭機には限られることはなく、例えば硬貨出金機、券売機、自動販売機等も含まれる。
【００４８】
図５に示すように、本実施の形態の硬貨処理装置１００の上位制御部１０１には、インターフェース１３２と、後述する操作表示部１５２と、物理的なボタン等からなる操作部１５３と、様々な情報を記憶する上位記憶部１５５が接続されている。また、硬貨制御部１０２には、後述する、インターフェース１３３、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６５、収容量検知センサ１５８、残留検知センサ１５７、様々な情報を記憶する硬貨記憶部１０５等が接続されている。そして、上位制御部１０１は、操作表示部１５２、操作部１５３及び上位記憶部１５５等と信号の送受信を行い、これらを制御するように構成されている。また、硬貨制御部１０２は、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６５、収容量検知センサ１５８、残留検知センサ１５７、様々な情報を記憶する硬貨記憶部１０５等と信号の送受信を行い、これらを制御するように構成されている。なお、硬貨制御部１０２には、カードに記録された情報を読み取るカードリーダ１７０と、硬貨収納部１６０等の所定のユニットをロックしたり、硬貨収納部１６０等の所定のユニットを解錠したりする電磁ロック部１７５も接続されている。
【００４９】
上述した残留検知センサ１５７は、後述する出金トレー１９２のトレー本体１９３に硬貨が残っているかを検知するためのセンサであり、より具体的には、出金トレー１９２のトレー本体１９３に何らしかの硬貨が残っているか否か、すなわちトレー本体１９３内の硬貨の有無を検知するセンサである。他方、収容量検知センサ１５８は、出金トレー１９２のトレー本体１９３内に硬貨が所定量以上収容されているかを検知するためのセンサであり、より具体的には、出金トレー１９２のトレー本体１９３内に硬貨がニアフル状態又はフル状態となっているか否かを検知するためのセンサである。
【００５０】
本実施の形態の硬貨処理装置１００は、図７に示すように、硬貨筐体（特許請求の範囲の「筐体」に対応する。）１０５と、硬貨を硬貨筐体１０５の外部から入金するための硬貨受入部１１０と、硬貨筐体１０５内に設けられ、硬貨を収納するとともに収納された硬貨を繰り出す硬貨収納部１６０と、硬貨筐体１０５内において、硬貨受入部１１０から投入された硬貨を１枚ずつ硬貨収納部１６０まで入金経路に沿って搬送する入金硬貨搬送部１２０と、入金経路に沿って設けられ、入金硬貨搬送部１２０で搬送される硬貨を識別して計数する硬貨識別部１５０と、を備えている。また、図６に示すように、硬貨筐体１０５の上面には、作業者等を含む操作者が操作信号を入力したり操作者に所定の情報を表示したりするための操作表示部１５２が設けられている。本実施の形態の操作表示部１５２はタッチパネルとなっており、操作表示部１５２に直接触れることで、操作者が操作信号を入力することができる。なお、この操作表示部１５２の近辺に物理的なボタン等からなる操作部１５３が設けられている。
【００５１】
図７に示すように、硬貨受入部１１０は、硬貨を投入するための硬貨入金口１１１と、硬貨入金口１１１から投入された硬貨を入金経路に繰り出す繰出ベルト１１２と、を有している。また、図１０（ａ）（ｂ）及び図１１（ａ）（ｂ）等で示すように、硬貨入金口１１１には開閉自在のシャッター１１５が設けられてもよい。なお、図７において、繰出ベルト１１２は硬貨を左方向に向かって繰り出すようになっている。
【００５２】
入金硬貨搬送部１２０は、硬貨をピンで支持し、図７において反時計回りに硬貨を搬送する無端状のピン付きベルト１２１と、当該ピン付きベルト１２１を駆動する駆動ローラ１２２と、を有している。この駆動ローラ１２２の少なくとも一つには、駆動ローラ１２２を駆動するための駆動モータ（図示せず）が連結されている。入金経路には、入金経路に沿って硬貨が通過したことを検知するための複数の検知センサ１２４，１２５（後述する）が設けられている。
【００５３】
図７に示すように、入金経路には、後述する金種別硬貨収納部１６１（つまり金種別硬貨収納部１６１ａ〜１６１ｆ）の各々に対応した検知センサ１２５（つまり検知センサ１２５ａ〜１２５ｆ）と、当該検知センサ１２５からの情報を受けて各金種別硬貨収納部１６１に対応する金種の硬貨を振り分ける複数（本実施の形態では６つ）の入金振分部１２７（つまり入金振分部１２７ａ〜１２７ｆ）が設けられている。各検知センサ１２５は、対応する金種別硬貨収納部１６１の上流位置（つまり硬貨の搬送方向に沿って見たときの上流位置）に対応して設けられている。
【００５４】
各検知センサ１２５は、光を発光する発光部と、発光部で発光された光を受光する受光部と、を有している。そして、発光部から発光された光が硬貨で遮断されて受光部で受光されないようになることで硬貨が受光部と発光部との間まで搬送されたことを検知し、発光部から発光された光が硬貨で遮断されなくなり、再び受光部で発光部から発光された光を受光するようになることで硬貨が受光部と発光部との間を通過したことを検知するようになっている。
【００５５】
また、入金振分部１２７（入金振分部１２７ａ〜１２７ｆのいずれか１つ）の上流位置の検知センサ１２５（検知センサ１２５ａ〜１２５ｆのいずれか１つ）で硬貨の通過が確認されたが当該入金振分部１２７の下流位置（つまり硬貨の搬送方向に沿って見たときの下流位置）の検知センサ１２５で硬貨の通過が確認されなかった場合には、当該入金振分部１２７で硬貨が取り込まれて、当該入金振分部１２７に対応する金種別硬貨収納部１６１に硬貨が収納されたと判断される。
【００５６】
本実施の形態の硬貨収納部１６０は、金種別に硬貨を収納する複数（本実施の形態では６つ）の金種別硬貨収納部１６１を有しており、各金種別硬貨収納部１６１が水平方向で並列に配置されている。金種別硬貨収納部１６１は、図７の下から順番に、５００円硬貨、１００円硬貨、５０円硬貨、１０円硬貨、５円硬貨及び１円硬貨を収納するようになっている。各金種別硬貨収納部１６１は、対応する硬貨を例えば１５０枚〜２００枚程度収納することができる。
【００５７】
金種別硬貨収納部１６１の各々は、硬貨を収納する金種別繰出収納庫１６２（つまり金種別繰出収納庫１６２ａ〜１６２ｆ）と、図９に示すように金種別繰出収納庫１６２内に収納された硬貨を出金経路に繰り出すための繰出部１６３と、繰出部１６３で繰り出される硬貨の枚数を検知する検知センサ１６５（図５参照）と、所定枚数の硬貨が繰り出された際にそれ以上の硬貨が繰り出されないように硬貨の繰り出しをストップさせるためのストッパ（図示せず）と、を有している。繰出部１６３は、硬貨を搬送する無端状の駆動ベルト１６４（図９参照）と、当該駆動ベルト１６４を駆動する駆動ローラ（図示せず）と、を有している。各繰出部１６３の駆動ローラの少なくとも一つには、駆動ローラを駆動するための駆動モータ（図示せず）が連結されている。なお、図９において駆動ベルト１６４で搬送された硬貨は、紙面の裏側から表側に向かって繰り出されることとなる。
【００５８】
各検知センサ１６５は、光を発光する発光部と、発光部で発光された光を受光する受光部とを有している。そして、発光部から発光された光が硬貨で遮断されて受光部で受光されないようになることで硬貨が受光部と発光部との間まで搬送されたことを検知し、発光部から発光された光が硬貨で遮断されなくなり、再び受光部で発光部から発光された光を受光するようになることで硬貨が受光部と発光部との間を通過したことを検知するようになっている。そして、発光部から発光された光が硬貨で遮断されて受光部で受光されないようになる回数を計数することで、硬貨収納部１６０から後述する出金硬貨搬送部１８０に繰り出された硬貨の枚数を計数することができる。
【００５９】
図９に示すように、本実施の形態の硬貨処理装置１００は、硬貨収納部１６０から繰り出された硬貨を出金経路に沿って搬送する出金硬貨搬送部１８０と、出金経路に繰り出されて出金硬貨搬送部１８０で搬送された硬貨を出金する硬貨払出部１９０も備えている。出金硬貨搬送部１８０は、反時計回りに回転して図９の左方向へと硬貨を搬送する無端状の出金搬送ベルト１８１と、この出金搬送ベルト１８１を駆動する駆動ローラ１８２と、を有している。この駆動ローラ１８２の少なくとも一つには、駆動ローラ１８２を駆動するための駆動モータ（図示せず）が連結されている。また、出金硬貨搬送部１８０は、出金搬送ベルト１８１の下流側端部の上方に設けられた逆転ローラ１８７と、出金搬送ベルト１８１の下流側に設けられ、略水平方向（図９の左右方向）で延在するガイド板１８８ａと、ガイド板１８８ａの上方に設けられ、ガイド板１８８ａとの間で硬貨を挟持して搬送する出金搬送ベルト１８８ｂと、を有している。
【００６０】
硬貨払出部１９０は、出金硬貨搬送部１８０の下流側端部、図９で言うと左側端部に設けられており、出金硬貨搬送部１８０の出金搬送ベルト１８１及び出金搬送ベルト１８８ｂで搬送されて硬貨筐体１０５内から硬貨を繰り出すための硬貨出金口１９１と、硬貨筐体１０５の前面側に設けられ、硬貨筐体１０５内から硬貨出金口１９１によって外部に繰り出された硬貨を受ける出金トレー１９２と、を有している。本実施の形態の出金トレー１９２は、図１０（ａ）（ｂ）に示すように、開口部１９３ａが形成されたトレー本体１９３と、開口部１９３ａを開閉する開閉部１９４と、を有している。
【００６１】
図７に示すように、硬貨識別部１５０の下流位置であって硬貨収納部１６０の上流位置には、硬貨識別部１５０で金種等を識別することができなかった硬貨をリジェクト硬貨として振り分けるためのリジェクト振分部１２９が設けられている。本実施の形態では、図７に示すように、リジェクト振分部１２９は、硬貨識別部１５０の下流側であって入金振分部１２７の上流側に位置している。
【００６２】
図９に示すように、リジェクト振分部１２９の下方には、リジェクト振分部１２９で振り分けられた硬貨を硬貨払出部１９０へ導くためのリジェクト搬送経路１２９ｂが設けられている。より具体的には、リジェクト振分部１２９が開状態となって当該リジェクト振分部１２９に取り込まれることで、硬貨は入金経路から外れ、リジェクト搬送経路１２９ｂを落下した後、出金搬送ベルト１８１及び出金搬送ベルト１８８ｂによって硬貨払出部１９０まで送られることとなる。
【００６３】
図７に示すように、リジェクト振分部１２９の直前の上流位置には光を発光する発光部と、発光部で発光された光を受光する受光部とを有する検知センサ１２４が設けられている。そして、発光部から発光された光が硬貨で遮断されて受光部で受光されないようになることで硬貨が受光部と発光部との間まで搬送されたこと、つまりリジェクト振分部１２９の直前の上流位置に硬貨が到達したことが検知される。このため、硬貨識別部１５０でリジェクト硬貨であると判断され、かつ、検知センサ１２４から硬貨が到達又は通過した旨の検知情報を受けた段階で、硬貨制御部１０２がリジェクト振分部１２９を開状態とし、リジェクト硬貨をリジェクト振分部１２９で取り込むようにしてもよい。なお、当然、硬貨識別部１５０でリジェクト硬貨であると判断された際にリジェクト振分部１２９を開状態のまま維持し、リジェクト硬貨をリジェクト振分部１２９で取り込む態様も採用することができる。
【００６４】
なお、硬貨処理装置から硬貨を回収する際に、ＰＯＳ操作部３５２、操作表示部１５２等の操作部から、全てを回収（いわゆる「全回収」）するよう指示が入力された場合には硬貨収納部１６０内に収納された硬貨の全てが硬貨収納部１６０から繰り出される。他方、硬貨処理装置から硬貨を回収する際に、ＰＯＳ操作部３５２、操作表示部１５２等の操作部から、ある金額が指定されて回収（いわゆる「指定金額回収」）するよう指示が入力された場合には、指定された金額を出金するよう対応する金種の硬貨が金種別硬貨収納部１６１から繰り出される。また、硬貨処理装置から硬貨を回収する際に、ＰＯＳ操作部３５２、操作表示部１５２等の操作部から、ある金額又はある枚数を残すように指定されて回収（いわゆる「残置回収」）するよう指示が入力された場合には、指定された金額又は枚数を残すよう対応する金種の硬貨が金種別硬貨収納部１６１から繰り出される。なお、このように硬貨収納部１６０から硬貨を回収する際には、全ての金種の硬貨を一斉に回収する「一斉回収」と、金種別に硬貨を回収する「金種別回収」とがある。そして、一斉回収するか金種別回収をするかについても、ＰＯＳ操作部３５２、操作表示部等の操作部から入力されるようにしてもよい。
【００６５】
《硬貨回収用部材１０》
本実施の形態では、図１１（ａ）（ｂ）で示すように、硬貨処理装置１００に対して取り外し自在になった硬貨回収用部材１０が設けられている。そして、開閉部１９４が開状態にあるときに硬貨筐体１０５から外部に繰り出された硬貨が開口部１９３ａを経て当該硬貨回収用部材１０内に落下することとなる。
【００６６】
この硬貨回収用部材１０は、本体部２０と、本体部２０を硬貨処理装置１００に取り付けるための取付部３０と、本体部２０が取付部３０によって硬貨処理装置１００に取り付けられた状態で、開口部１９３ａを経て落下した硬貨を受け入れる受入部４０と、を備えている。硬貨回収用部材１０の材料としては、例えば、プラスチック、金属等を採用することができる。
【００６７】
本実施の形態では、取付部３０は、硬貨筐体１０５又は出金トレー１９２に係合することで本体部２０を硬貨処理装置１００に取り付けるようになっている。取付部３０が出金トレー１９２に係合する場合には、例えば図１１（ａ）（ｂ）で示すように、出金トレー１９２の前面側を覆うようにして、取付部３０が出金トレー１９２に取り付けられることとなる。なお、図１１（ａ）（ｂ）で示す態様では、取付部３０が外れ防止部３０ａを有しており、この外れ防止部３０ａが出金トレー１９２の前面側の中心に係合されることとなる。この結果、硬貨回収用部材１０が出金トレー１９２に対して安定した状態で取り付けられることとなる。
【００６８】
上述のように取付部３０が出金トレー１９２に係合する態様と異なり、取付部３０が硬貨筐体１０５に係合する場合には、例えば図２１に示すような態様を挙げることができる。図２１に示す態様では、硬貨筐体１０５に設けられた凹部（図２１では硬貨入金口１１１）に取付部３０が係合することで、本体部２０が硬貨処理装置１００に取り付けられることとなる。なお、この場合には、硬貨回収用部材１０の取付部３０が硬貨入金口１１１に係合するだけでなく、硬貨回収用部材１０の本体部２０が出金トレー１９２の前面や下面に当接してもよく、このような態様によれば、より安定した状態で、硬貨回収用部材１０を硬貨処理装置１００に取り付けることができる。
【００６９】
また、図１５に示すように、紙幣処理装置２００が硬貨処理装置１００に隣接して設けられており、紙幣処理装置２００の紙幣筐体２０５に紙幣入金口２１１や紙幣払出口２９２のような凹部が設けられている場合には、硬貨回収用部材１０の取付部３０が紙幣処理装置２００の紙幣筐体２０５の凹部（例えば紙幣入金口２１１や紙幣払出口２９２）内で固定されることで、硬貨回収用部材１０の本体部２０がトレー本体１９３の下方に位置づけられてもよい。なお、この場合には、硬貨回収用部材１０の取付部３０が紙幣処理装置２００の紙幣筐体２０５の凹部（例えば紙幣入金口２１１や紙幣払出口２９２）内で固定されるだけではなく、硬貨回収用部材１０の取付部３０が硬貨筐体１０５の凹部（例えば硬貨入金口１１１）や出金トレー１９２に係合することで、安定した状態で、硬貨回収用部材１０が硬貨処理装置１００に取り付けられてもよい。
【００７０】
硬貨回収用部材１０の受入部４０の形態としては様々なものを採用することができるが、一例としては、図１３（ａ）（ｂ）に示すように、受入部４０が、開口部１９３ａを経て落下した硬貨を内部に収納する袋、箱等のような収納体になったものを挙げることができる。
【００７１】
別の例としては、図１４（ａ）（ｂ）に示すように、受入部４０が、その下面で開口しており、開口部１９３ａを経て落下した硬貨を受入部４０の下方へ落下させる態様（シュートタイプ）を挙げることができる。なお、このような下面が開口したタイプ（シュートタイプ）を採用する場合には、図１４（ａ）（ｂ）に示すように、受入部４０の下方に、受入部４０の下面の開口を経た硬貨を受けて収容するための袋、箱、バッグ等からなる収容部４５が設けられてもよい。また、この収容部４５は、図１４（ａ）（ｂ）に示すように、貨幣処理装置が載置される載置台６００の引出部６１０内に載置されてもよい。
【００７２】
このような下面が開口したタイプ（シュートタイプ）を採用する場合であって、受入部４０が柔軟性を有する部材からなる場合には、図１６に示すように、受入部４０の下端近傍に錘４３が設けられてもよい。ちなみに、受入部４０が柔軟性を有する部材からなる場合の例としては、受入部４０が布製部材からなったり、ジャバラで形成されていたり、網で形成されていたりするものを挙げることができる。
【００７３】
本実施の形態の硬貨回収用部材１０の本体部２０は、図１２（ａ）（ｂ）に示すように、取付部３０を含む第一本体部材２１と、受入部４０を含む第二本体部材２６とに分離可能となっていてもよい。そして、この場合には、第一本体部材２１と第二本体部材２６とが、これら第一本体部材２１と第二本体部材２６との分離を防止するストッパ機構２７ａ，２２を用いて連結されていてもよい。より具体的には、受入部４０を含む第二本体部材２６は、先端にラッチ２７ａが設けられた突出部２７を有している。他方、取付部３０を含む第一本体部材２１は、図１２（ｂ）に示すように、第二本体部材２６の略全体を差し込んで収容するための差込部２３を有するとともに、第二本体部材２６を第一本体部材２１に差し込んだときに上述したラッチ２７ａが嵌め込まれる切欠き２２を有している。
【００７４】
図１１（ａ）（ｂ）及び図１２（ａ）（ｂ）等で示すように、本実施の形態の硬貨回収用部材１０の本体部２０には、その外面に把持部５０が設けられてもよい。本実施の形態では、この把持部５０は第一本体部材２１の前面側の全体を覆うようにして設けられており、非常に大きなものとなっている。ちなみに、これはあくまでも一例であり、非常に小さな把持部５０が設けられてもよく、第一本体部材２１の前面側の一部（例えば中央部）のみを覆うようにして設けられていてもよい。但し、受入部４０が袋のような収納体になった場合であって、当該受入部４０に相当程度の硬貨が収納されるようになっている場合には、十分な強度を実現するという観点からは、把持部５０は第一本体部材２１の前面側の全体を覆うようにして設けられているか、又は、把持部５０が第一本体部材２１の前面側の一部のみを覆うようになっているものの当該把持部５０が金属材料等から構成されている態様を採用することが考えられる。
【００７５】
また、本実施の形態の硬貨回収用部材１０は、図１７（ａ）（ｂ）及び図１８（ａ）（ｂ）に示すように、硬貨回収用部材１０の本体部２０を硬貨処理装置１００に取り付けた際に、出金トレー１９２の開閉部１９４を開状態にするための開き機構部６０（６０ａ，６０ｂ）を有していてもよい。このように硬貨回収用部材１０が開き機構部６０を有する場合には、硬貨回収用部材１０の開き機構部６０と連動する開き機構部１９６（１９６ａ，１９６ｂ）を硬貨処理装置１００の出金トレー１９２が有していてもよい。そして、このような硬貨回収用部材１０の開き機構部６０と出金トレー１９２の開き機構部１９６の両者によって、硬貨回収用部材１０を硬貨処理装置１００に取り付けた際に出金トレー１９２の開閉部１９４を開状態にする開き機構６０，１９６が構成されることとなる。
【００７６】
このような開き機構６０，１９６の一例としては、図１７（ａ）（ｂ）に示すように、出金トレー１９２の開閉部１９４がスライド形式になり開き機構部１９６ａを構成しており、硬貨回収用部材１０の開き機構部６０ａがスライド形式になった開閉部１９４に係合したり当接したりすることで開閉部１９４が開状態になるものを挙げることができる。また、別の例としては、図１８（ａ）（ｂ）に示すように、出金トレー１９２の開閉部１９４が揺動軸１９４ａを中心に揺動可能となるとともに、開閉部１９４の下端から下方に突出部１９４ｂが突出しており、このような揺動軸１９４ａ及び突出部１９４ｂを含む開閉部１９４が出金トレー１９２の開き機構部１９６ｂを構成する。そして、硬貨回収用部材１０の開き機構部６０ａが上記突出部１９４ｂに係合したり当接したりすることで開閉部１９４が揺動軸１９４ａを中心に揺動することで、開閉部１９４が開状態になるものを挙げることができる。
【００７７】
また、開閉部１９４には、硬貨回収用部材１０が硬貨処理装置１００に取り付けられていないときに、出金トレー１９２の開閉部１９４を閉状態にするための閉じ機構１９９（１９９ａ，１９９ｂ）が設けられていてもよい。一例としては、図１７（ａ）（ｂ）に示すように出金トレー１９２の開閉部１９４がスライド形式になり開き機構部６０ａを構成している場合には、開閉部１９４に当該開閉部１９４を閉状態に保とうとするバネ等の弾性部材１９９ａが連結されており、硬貨回収用部材１０が硬貨処理装置１００から取り外されると、当該弾性部材１９９ａの付勢力によって開閉部１９４が閉じられるようになっていてもよい。また、別の例としては、図１８（ａ）（ｂ）に示すように出金トレー１９２の開閉部１９４が揺動軸１９４ａを中心に揺動可能なるとともに開閉部１９４の下端から下方に突出部１９４ｂが突出している場合には、開閉部１９４に当該開閉部１９４を開口部１９３ａに向かって揺動することで閉状態に保とうとする板バネ等の付勢部材１９９ｂが連結されており、硬貨回収用部材１０が硬貨処理装置１００から取り外されると、当該付勢部材１９９ｂによって開閉部１９４が閉じられるようになっていてもよい。
【００７８】
また、本実施の形態では、硬貨回収用部材１０を硬貨処理装置１００に取り付けた際にも、残留検知センサ１５７及び／又は収容量検知センサ１５８が硬貨回収用部材１０によって遮蔽されない態様となっていてもよい。つまり、硬貨回収用部材１０を硬貨処理装置１００に取り付けた状態においても、残留検知センサ１５７の発光部から発光されて残留検知センサ１５７の受光部で受光される光の光路上に硬貨回収用部材１０が位置しない態様となってもよく、また、硬貨回収用部材１０を硬貨処理装置１００に取り付けた状態においても、収容量検知センサ１５８の発光部から発光されて収容量検知センサ１５８の受光部で受光される光の光路上に硬貨回収用部材１０が位置しない態様となってもよい。
【００７９】
また、硬貨処理装置１００には、硬貨回収用部材１０の種類を判別するための判別機構１５９が設けられていてもよい。具体的な例を用いて説明すると、硬貨回収用部材１０の受入部４０が袋等の収納体からなっている場合において、受入部４０の大きさが異なる複数の硬貨回収用部材１０が採用されているときには、図１９に示すように、各硬貨回収用部材１０がＩＣチップ等の硬貨回収用部材１０を識別するための記録媒体７０ａを有しており、他方、硬貨回収用部材１０が硬貨処理装置１００に取り付けられたときに、硬貨回収用部材１０の記録媒体７０ａに記録された硬貨回収用部材１０を識別するための情報を読み取る読取部１５９ａを硬貨処理装置１００が有していてもよい。この場合には、読取部１５９ａが上記の判別機構１５９としての役割を果たし、硬貨回収用部材１０を硬貨処理装置１００に取り付けることで、硬貨回収用部材１０の受入部４０の大きさに応じた硬貨回収用部材１０の種類を判別することとなる。
【００８０】
また、別の例を用いて説明すると、上述した記録媒体７０ａ及び読取部１５９ａの代わりに又は記録媒体７０ａ及び読取部１５９ａに加えて、図２０（ａ）（ｂ）に示すように、各硬貨回収用部材１０が受入部４０の大きさに応じて大きさが異なる遮蔽板７０ｂを有し、かつ、硬貨回収用部材１０が硬貨処理装置１００に取り付けられたときに遮蔽板７０ｂで遮蔽されるセンサ１５９ｂの数から硬貨処理装置１００に取り付けられた硬貨回収用部材１０の種類を判別するようにしてもよい。この場合には、複数のセンサ１５９ｂ（各センサ１５９ｂが発光部と受光部とを有する。）が上記の判別機構１５９としての役割を果たし、硬貨回収用部材１０を硬貨処理装置１００に取り付けることで、硬貨回収用部材１０の受入部４０の大きさに応じた硬貨回収用部材１０の種類を判別することとなる。より具体的な例を用いて説明すると、図２０（ａ）（ｂ）に示した２つのセンサ１５９ｂの両方が遮蔽されたときには受入部４０の大きさが大きいと硬貨制御部１０２や上位制御部１０１が判断し、図２０（ａ）（ｂ）に示した２つのセンサ１５９ｂのうちの一つが遮蔽されたときには受入部４０の大きさが中くらいであると硬貨制御部１０２や上位制御部１０１が判断し、図２０（ａ）（ｂ）に示した２つのセンサ１５９ｂが遮蔽されないときには受入部４０の大きさが小さいと硬貨制御部１０２や上位制御部１０１が判断するようにすればよい。
【００８１】
《効果》
次に、上述した構成からなる本実施の形態によって達成される効果であって、まだ述べていない効果又はとりわけ重要な効果について説明する。
【００８２】
本実施の形態によれば、図１１（ａ）（ｂ）等に示されるような、硬貨処理装置１００に対して取り外し自在になった硬貨回収用部材１０が提供される。この硬貨回収用部材１０は、硬貨筐体１０５から外部に繰り出された硬貨がトレー本体１９３に形成された開口部１９３ａを経て落下するようになった硬貨処理装置１００に対して取り外し自在になっている。そして、本実施の形態による硬貨回収用部材１０は、本体部２０と、本体部２０を硬貨処理装置１００に取り付けるための取付部３０と、本体部２０が取付部３０によって硬貨処理装置１００に取り付けられた状態で、開口部１９３ａを経て落下した硬貨を受け入れる受入部４０と、を備えている。このため、本実施の形態によれば、硬貨の回収作業を効率よく行うことができるとともに、硬貨の回収作業中に作業者が回収容器等を支える必要がなく、また、硬貨処理装置１００の構造を複雑にしたり大型にしたりする必要がない。
【００８３】
つまり、本実施の形態のような硬貨回収用部材１０を採用しない場合には、硬貨筐体１０５から外部に繰り出された硬貨がトレー本体１９３に形成された開口部１９３ａを経て落下するようになった硬貨処理装置１００を採用したとしても、硬貨の回収作業中に開口部１９３ａを経て落下する回収硬貨を受け取るための回収容器を作業者が支える必要があることから、作業者が疲れるだけでなく、作業者が紙幣の回収処理や伝票の処理等の他の作業を行えない。これに対して、本実施の形態によれば、このような硬貨処理装置１００に取り付けられる硬貨回収用部材１０が提供されることから、硬貨の回収作業中に作業者が回収容器等を支える必要がなくなる。
【００８４】
また、特許文献２で開示されているような経路切替部材を設けた場合には、構造が複雑化し、硬貨処理装置１００の製造コストが高くなったり硬貨処理装置１００が大型化してしまったりする。また、このような経路切替部材を設けると、硬貨処理装置１００内でジャムや故障が発生する可能性も高くなる。これに対して、本実施の形態によれば、回収処理時に硬貨回収用部材１０を硬貨処理装置１００に取り付けるだけでよく、特許文献２で開示されている経路切替部材のような部材を硬貨処理装置１００内に設ける必要がない。このため、本実施の形態によれば、硬貨処理装置１００の構造を複雑にしたり大型にしたりする必要がない。
【００８５】
また、本実施の形態では、取付部３０が、硬貨筐体１０５又は出金トレー１９２に係合することで本体部２０を硬貨処理装置１００に取り付ける態様となっている（図１１（ｂ）及び図２１参照）。このため、硬貨筐体１０５又は出金トレー１９２に取付部３０を係合させる（嵌め込む）だけで、硬貨処理装置１００に硬貨回収用部材１０を取り付けることができ、非常に簡便に硬貨回収用部材１０の取り付けを行うことができる。
【００８６】
なお、図２１に示すように、硬貨入金口１１１に硬貨回収用部材１０の取付部３０を係合させる場合には、硬貨回収用部材１０によって出金トレー１９２を覆うことができる。このため、出金トレー１９２に繰り出された硬貨が人目につくことを避けることができ、安全性を高めることができる。また、このように硬貨回収用部材１０によって出金トレー１９２を覆うことで、硬貨を回収するときに発生する騒音を防止することもできる。更には、硬貨の飛び出しや、外部からの異物の混入を防止する効果もある。
【００８７】
ところで、このように硬貨回収時の安全性や騒音防止性を高める観点からすると、硬貨処理装置１００の出金トレー１９２に硬貨回収用部材１０を取り付けるタイプを採用した場合であっても、図２２に示すように、硬貨回収用部材１０が出金トレー１９２の上方を覆う態様を採用してやればよい。図２２に示すような態様の硬貨回収用部材１０を採用することで、やはり、硬貨回収用部材１０によって出金トレー１９２を覆うことができ、硬貨回収時の安全性や騒音防止性を高めることができる。また、図２２に示すような態様の硬貨回収用部材１０を採用することで、硬貨処理装置１００の形状（より具体的には硬貨入金口の位置等）に左右されることなく、確実に硬貨回収用部材１０によって出金トレー１９２を覆うことができるようになる。
【００８８】
また、受入部４０として、図１３（ａ）（ｂ）に示すような硬貨を内部に収納する袋、箱のような収納体を採用した場合には、硬貨処理装置１００の硬貨筐体１０５から外部に繰り出され、出金トレー１９２の開口部１９３ａを経て落下した硬貨を、そのまま受入部４０内に収容することができる。
【００８９】
ちなみに、硬貨処理装置１００を含む貨幣処理装置は図２に示すような載置台６００に載置されることが多い。このような載置台６００に載置されると、出金トレー１９２は、一般に５０〜１００ｃｍの高さに位置づけられることとなり、回収容器を床にそのままおくと、落下した硬貨が跳ねて回収容器の外部に飛び出したり、大きな音がしたりする。これに対して、受入部４０を収納体とすることで、出金トレー１９２の開口部１９３ａを経て落下した硬貨が受入部４０の外部に飛び出してしまうことを防止することができる。また、受入部４０を収納体とすることで硬貨が収容される空間を覆うことができ、出金トレー１９２の開口部１９３ａを経て落下した硬貨によって発生する騒音が外部に漏れ出すことを極力防止することもできる。なお、収納体が、布製部材からなったり、ジャバラで形成されていたり、網で形成されていたりしており、柔軟性を有する部材からなる場合には、落下する硬貨の衝撃を吸収することができるので、出金トレー１９２の開口部１９３ａを経て落下した硬貨によって発生する騒音をより一層抑えることができる。
【００９０】
また、受入部４０として、図１４（ａ）（ｂ）に示すように、その下面で開口しており、開口部１９３ａを経て落下した硬貨を受入部４０の下方へ落下させる態様（シュートタイプ）を採用した場合には、収容される硬貨の重みを考慮する必要がないことから、硬貨回収用部材１０の強度をそれほど強くする必要がなくなり、硬貨回収用部材１０全体の大きさを小さくすることができる。
【００９１】
また、このような下面が開口したタイプ（シュートタイプ）を採用する場合には、受入部４０の下方に、受入部４０の下面の開口を経た硬貨を受けて収容するための収容部４５を設けてもよい。このような収容部４５を設けることで、硬貨処理装置１００の硬貨筐体１０５から外部に繰り出され、出金トレー１９２の開口部１９３ａを経て落下した硬貨を、そのまま収容部４５内に収容することができる。なお、本実施の形態では、受入部４０で硬貨が案内された後で収容部４５に落下することから、硬貨が予期せぬ方向に飛び跳ねてしまう可能性が低く、落下した硬貨が跳ねて収容部４５の外部に飛び出してしまう可能性は非常に低い。また、受入部４０を布、ジャバラ、網等の柔軟性を有する部材によって形成したり、収容部４５の底面を布、スポンジ等の柔軟性を有する部材によって形成したりすることで、出金トレー１９２の開口部１９３ａを経て落下した硬貨によって発生する騒音を極力抑えることができる。また、下面が開口したタイプ（シュートタイプ）を採用する場合には、硬貨の回収量に上限がない又はその上限が非常に大きいものとなることから、大量の硬貨を回収する際には有益である。
【００９２】
また、下面が開口したタイプ（シュートタイプ）を採用する場合であって、受入部４０が（布製部材からなったりジャバラで形成されていたり網で形成されていたりして）柔軟性を有する部材からなるときには、図１６に示すように受入部４０の下端近傍に錘４３が設けられてもよい。このような錘４３を設けることで、受入部４０が折れ曲がってしまい、出金トレー１９２の開口部１９３ａを経て落下した硬貨が受入部４０の途中で詰まってしまうことを防止することができる。
【００９３】
また、図１２（ａ）（ｂ）に示すように、本実施の形態の硬貨回収用部材１０の本体部２０が、取付部３０を含む第一本体部材２１と、受入部４０を含む第二本体部材２６とに分離可能となっている態様を採用した場合には、第一本体部材２１と第二本体部材２６とを分離して収納することができ、保管スペースを節約することができる。また、受入部４０が上述した収納体となっている場合には、このように第一本体部材２１と第二本体部材２６とを分離することで、受入部４０に収容された硬貨を回収用の容器に移しやすくすることができる。つまり、第一本体部材２１と第二本体部材２６とが分離不可能となっている場合には、受入部４０に収容された硬貨を回収用の容器に移す際に、取付部３０等が一体となった状態で受入部４０に収容された硬貨を回収用の容器に移すこととなるが、この際、取付部３０等が非常に邪魔になる。これに対して、本態様のように第一本体部材２１と第二本体部材２６とを分離可能とすることで、受入部４０に収容された硬貨を回収用の容器に移す際に、受入部４０から取付部３０等を分離した状態にすることができるので、受入部４０に収容された硬貨を回収用の容器に容易に移すことができる。
【００９４】
また、上述したように第一本体部材２１と第二本体部材２６とが分離可能となっている場合には、図１２（ａ）（ｂ）に示すように、第一本体部材２１と第二本体部材２６とが、これら第一本体部材２１と第二本体部材２６との分離を防止するストッパ機構２７ａ，２２を用いて連結されていてもよい。この態様を採用した場合には、第一本体部材２１と第二本体部材２６とが簡単に分離してしまうことを防止することができる。なお、受入部４０が上述した収納体となっている場合であって受入部４０に相当量の硬貨が収容されるときには、収納体に硬貨が収容されることで第二本体部材２６の総重量がかなりの重さになり、その結果、硬貨回収用部材１０を使用しているときに第一本体部材２１と第二本体部材２６とが分離されてしまう可能性がある。このため、受入部４０が収納体となっている場合であって当該受入部４０に相当量の硬貨が収容されるときには、本態様のように第一本体部材２１と第二本体部材２６との分離を防止するストッパ機構２７ａ，２２を採用することは非常に有益である。
【００９５】
なお、このようなストッパ機構２７ａ，２２の一例としては、図１２（ａ）（ｂ）に示すように、受入部４０を含む第二本体部材２６が、先端にラッチ２７ａが設けられた突出部２７を有し、他方、取付部３０を含む第一本体部材２１が、第二本体部材２６を第一本体部材２１に差し込んだときに上述したラッチ２７ａが嵌め込まれる切欠き２２を有しているものを挙げることができるが、別の例としては、受入部４０を含む第二本体部材２６が、先端に切欠きが設けられた突出部を有し、他方、取付部３０を含む第一本体部材２１が、第二本体部材２６を第一本体部材２１に差し込んだときに上述した切欠きに嵌め込まれる（下方に延びた）突起を有しているものを挙げることができる。
【００９６】
また、図１１（ａ）（ｂ）及び図１２（ａ）（ｂ）等で示すように、本実施の形態の硬貨回収用部材１０の本体部２０には、その外面に把持部５０が設けられてもよい。このような把持部５０を設けることで、硬貨回収用部材１０の硬貨処理装置１００に対する取り付け及び取り外しを容易に行うことができる。上述したように、受入部４０が収納体となっている場合であって当該受入部４０に相当量の硬貨が収容されるときには、収納体に硬貨が収容されることで第二本体部材２６の総重量がかなりの重さになる。このため、この場合には、把持部５０を第一本体部材２１の前面側の全体を覆うようにして設けて、非常に大きなものとしてもよい。このように把持部５０の大きさを大きくすることで、受入部４０で硬貨を収容して総重量が重くなったときにも、把持部５０の強度を十分なものとすることができるためである。この点、把持部５０を例えば金属材料等の強度の高いものから構成した場合には、その大きさを小さくすることもでき、把持部５０は第一本体部材２１の前面側の一部（例えば中央部）のみを覆う態様となっていてもよい。
【００９７】
また、本実施の形態では、図１７（ａ）（ｂ）及び図１８（ａ）（ｂ）で示すように、硬貨回収用部材１０を硬貨処理装置１００に取り付けた際に、出金トレー１９２の開閉部１９４を開状態にするための開き機構６０，１９６が設けられていてもよい。このような態様を採用した場合には、硬貨回収用部材１０を硬貨処理装置１００に取り付けると自動で出金トレー１９２の開閉部１９４を開状態にすることができ、作業者等の操作者が手動で出金トレー１９２の開閉部１９４を開状態にする必要がなくなる。
【００９８】
また、本実施の形態では、図１７（ａ）（ｂ）及び図１８（ａ）（ｂ）で示すように、硬貨回収用部材１０が硬貨処理装置１００に取り付けられていないときに、出金トレー１９２の開閉部１９４を閉状態にするための閉じ機構１９９が開閉部１９４に設けられていてもよい。このような態様を採用した場合には、硬貨回収用部材１０を硬貨処理装置１００から取り外すと自動で出金トレー１９２の開閉部１９４を閉状態にすることができ、操作者が手動で出金トレー１９２の開閉部１９４を閉状態にする必要がなくなる。
【００９９】
また、本実施の形態では、硬貨回収用部材１０を硬貨処理装置１００に取り付けた際にも、残留検知センサ１５７及び／又は収容量検知センサ１５８が硬貨回収用部材１０によって遮蔽されない態様となっていてもよい。このような態様を採用した場合には、例えば受入部４０が袋等の収納体となっているときに、硬貨回収用部材１０の受入部４０からあふれ出た硬貨の有無を、残留検知センサ１５７や収容量検知センサ１５８を用いて検知することができる。残留検知センサ１５７は出金トレー１９２の底面部の下方位置に設けられていることから、受入部４０から少しでも硬貨があふれ出たときに、受入部４０内に硬貨が満杯状態であることを検知することができる。他方、収容量検知センサ１５８は残留検知センサ１５７よりも上方位置に位置づけられていることから、受入部４０から硬貨があふれ出して相当量に達したときに、受入部４０内に硬貨が満杯状態であることを検知することができる。残留検知センサ１５７又は収容量検知センサ１５８によって、硬貨回収用部材１０の受入部４０からあふれ出た硬貨が存在することが検出されると、硬貨制御部１０２又は上位制御部１０１は、硬貨収納部１６０からの硬貨の繰り出しを停止させるとともに、操作表示部１５２、ＰＯＳ表示部３５１等の報知部に硬貨回収用部材１０の受入部４０から硬貨かあふれた旨を報知させてもよい。
【０１００】
なお、このように硬貨回収用部材１０の受入部４０からあふれ出た硬貨の有無を、残留検知センサ１５７や収容量検知センサ１５８を用いて検知するときには、既に残留検知センサ１５７や収容量検知センサ１５８が設置されている硬貨処理装置１００であれば新たに多額の費用をかけることなく、硬貨回収用部材１０の受入部４０から硬貨があふれたか否かの検知を行うことができる点で有益である。また、硬貨処理装置１００内の硬貨を回収する作業は典型的には一日に１回〜２回程度であり、その頻度は低いことから、そのような回収処理のためだけにセンサを設けることはコストパフォーマンスの点から多少なりとも問題が発生する。他方、このように残留検知センサ１５７や収容量検知センサ１５８を用いて硬貨回収用部材１０の受入部４０からあふれ出た硬貨の有無を検知する場合には、これら残留検知センサ１５７及び／又は収容量検知センサ１５８を出金処理等の通常の処理においても利用することができる点で有益である。
【０１０１】
ちなみに、図２１に示すように硬貨入金口１１１に硬貨回収用部材１０の取付部３０を係合させて硬貨回収用部材１０によって出金トレー１９２を覆う場合や、図２２に示すように硬貨回収用部材１０が出金トレー１９２を覆う場合には、出金トレー１９２内における硬貨の状況を目視することができない、又は、目視することが非常に困難なものとなっている。このため、この場合には、上述したように、硬貨回収用部材１０の受入部４０からあふれ出た硬貨の有無を残留検知センサ１５７や収容量検知センサ１５８を用いて検知することの意義が非常に高くなる。
【０１０２】
また、図１９及び図２０（ａ）（ｂ）に示すように、硬貨処理装置１００には、硬貨回収用部材１０の種類を判別するための判別機構１５９（１５９ａ，１５９ｂ）が設けられていてもよい。このような態様を採用した場合には、どの硬貨回収用部材１０が硬貨処理装置１００に取り付けられたのかを判別することができ、当該硬貨回収用部材１０に応じた処理を行うことができる。例えば受入部４０が袋等の収納体となっているときには、硬貨処理装置１００に取り付けられた硬貨回収用部材１０の受入部４０内に収容可能な硬貨の枚数又は金種に応じた枚数を、判別機構１５９からの情報に基づいて硬貨制御部１０２や上位制御部１０１が判断し、当該受入部４０内に収容可能な硬貨の枚数又は金種に応じた枚数に応じて、硬貨収納部１６０から繰り出される硬貨の枚数を制限したりすることができる。また、硬貨処理装置１００に取り付けられた硬貨回収用部材１０の受入部４０内に収容可能な硬貨の枚数又は金種に応じた枚数を、判別機構１５９からの情報に基づいて硬貨制御部１０２や上位制御部１０１が判断した結果、回収しなければならない硬貨を収容するだけの容量が受入部４０にないと硬貨制御部１０２や上位制御部１０１が判断したときには、硬貨制御部１０２や上位制御部１０１からの信号を受けて操作表示部１５２やＰＯＳ表示部３５１等の報知部が硬貨回収用部材１０の種類を変えることを促す情報を報知してもよい。このとき、報知部は、より容量の多い収納体からなる受入部４０を用いることを報知してもよいし、シュートタイプの受入部４０を用いることを報知してもよい。
【０１０３】
ちなみに、このような判別機構１５９が設けられていなくても、例えば操作表示部１５２やＰＯＳ操作部３５２から硬貨回収用部材１０の種類を操作者が手入力することで、硬貨収納部１６０から繰り出される硬貨の枚数を制限したり、操作表示部１５２やＰＯＳ表示部３５１等の報知部が硬貨回収用部材１０の種類を変えることを促す情報を報知したりするようにしてもよい。
【０１０４】
また、残留検知センサ１５７又は収容量検知センサ１５８が判別機構１５９としての役割を果たしてもよい。具体的には、各硬貨回収用部材１０が受入部４０の大きさに応じて、残留検知センサ１５７及び／又は収容量検知センサ１５８を遮蔽するようになっており、残留検知センサ１５７及び収容量検知センサ１５８の両方が遮蔽されるのか、残留検知センサ１５７及び収容量検知センサ１５８の一方のみが遮蔽されるのか、又は、残留検知センサ１５７及び収容量検知センサ１５８の両方が遮蔽されないのかによって、硬貨制御部１０２や上位制御部１０１が受入部４０の大きさを判断してもよい。一例を挙げるとすると、残留検知センサ１５７及び収容量検知センサ１５８の両方（又は残留検知センサ１５７及び収容量検知センサ１５８の一方のみ）が硬貨回収用部材１０によって遮蔽されたときには受入部４０の大きさが大きいと硬貨制御部１０２や上位制御部１０１が判断し、残留検知センサ１５７及び収容量検知センサ１５８のうちの一方のみ（又は残留検知センサ１５７及び収容量検知センサ１５８の他方のみ）が遮蔽されたときには受入部４０の大きさが中くらいであると硬貨制御部１０２や上位制御部１０１が判断し、残留検知センサ１５７及び収容量検知センサ１５８の両方が遮蔽されないときには受入部４０の大きさが小さいと硬貨制御部１０２や上位制御部１０１が判断するようにすればよい。この場合にも、残留検知センサ１５７及び／又は収容量検知センサ１５８からの情報に基づいて、硬貨収納部１６０から繰り出される硬貨の枚数を制限したり、操作表示部１５２やＰＯＳ表示部３５１等の報知部が硬貨回収用部材１０の種類を変えることを促す情報を報知したりするようにしてもよい。
【０１０５】
なお、このように残留検知センサ１５７及び／又は収容量検知センサ１５８が判別機構１５９としての役割を果たす場合には、例えば操作表示部１５２、操作部１５３、ＰＯＳ操作部３５２等から硬貨回収用部材１０が取り付けられたことが入力され、その結果、残留検知センサ１５７及び／又は収容量検知センサ１５８が本来の役割（トレー本体１９３に硬貨が残っているかを検知したり、トレー本体１９３内に硬貨が所定量以上収容されているかを検知したりする役割）から、判別機構１５９としての役割を果たすように切り替えられる。
【０１０６】
ところで、本実施の形態では、硬貨処理装置１００に対して硬貨回収用部材１０が取り外し自在になった態様を用いて説明したが、これに限られることはなく、硬貨処理装置１００に硬貨回収用部材１０が固定して取り付けられていてもよい。一例としては、トレー本体１９３の下面であってトレー本体１９３に形成された開口部１９３ａを取り囲む位置に、シュートタイプの受入部４０が取り付けられていてもよい。このような受入部４０を用いる際には、受入部４０の下方に、受入部４０の下面の開口を経た硬貨を受けて収容するための収容部４５を設けてもよい。ちなみに、このように硬貨処理装置１００に硬貨回収用部材１０が固定して取り付けられる場合には、当該硬貨回収用部材１０は、上述した本体部２０や取付部３０を有しておらず、受入部４０のみを有していてもよい。
【０１０７】
このように硬貨処理装置１００に硬貨回収用部材１０が固定して取り付けられる場合には、トレー本体１９３の下面に設けられた受入部４０は（布製部材からなったりジャバラで形成されていたり網で形成されていたりして）柔軟性を有しており、トレー本体１９３の下面に折り畳んだ状態で固定されるようになっていてもよい。このような態様を採用することで、受入部４０を使用しないときに当該受入部４０によって無駄にスペースが取られることを防止することができる。また、このように受入部４０が柔軟性を有している場合には、受入部４０の下端近傍に錘４３が設けられてもよい。このような錘４３を設けることで、受入部４０が折れ曲がってしまい、出金トレー１９２の開口部１９３ａを経て落下した硬貨が受入部４０の途中で詰まってしまうことを防止することができる。
【０１０８】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１０９】
１０          硬貨回収用部材
２０          本体部
２１          第一本体部材
２２          切欠き
２６          第二本体部材
２７ａ        ラッチ
３０          取付部
４０          受入部
４３          錘
４５          収容部
５０          把持部
６０          開き機構部
１０５        硬貨筐体（筐体）
１５７        残留検知センサ
１５８        収容量検知センサ
１５９        判別機構
１９２        出金トレー
１９３ａ      開口部
１９４        開閉部
１９６        開き機構部
１９９        閉じ機構
【図１】
2015219889.tif 000003
【図２】
2015219889.tif 000004
【図３】
2015219889.tif 000005
【図４】
2015219889.tif 000006
【図５】
2015219889.tif 000007
【図６】
2015219889.tif 000008
【図７】
2015219889.tif 000009
【図８】
2015219889.tif 000010
【図９】
2015219889.tif 000011
【図１０】
2015219889.tif 000012
【図１１】
2015219889.tif 000013
【図１２】
2015219889.tif 000014
【図１３】
2015219889.tif 000015
【図１４】
2015219889.tif 000016
【図１５】
2015219889.tif 000017
【図１６】
2015219889.tif 000018
【図１７】
2015219889.tif 000019
【図１８】
2015219889.tif 000020
【図１９】
2015219889.tif 000021
【図２０】
2015219889.tif 000022
【図２１】
2015219889.tif 000023
【図２２】
2015219889.tif 000024
【手続補正書】
【提出日】平成26年5月29日(2014.5.29)
【手続補正１】
【補正対象書類名】明細書
【補正対象項目名】００３６
【補正方法】変更
【補正の内容】
【００３６】
図５に示すように、紙幣処理装置２００の紙幣制御部２０２には、インターフェース２３２、紙幣受入部２１０、紙幣搬送部２２０、出金リジェクト部２３０、紙幣識別部２５０、紙幣収納部２６０、紙幣払出部２９０等がそれぞれ接続されている。そして、紙幣制御部２０２は、紙幣受入部２１０、紙幣搬送部２２０、出金リジェクト部２３０、紙幣識別部２５０、紙幣収納部２６０、紙幣払出部２９０等と信号の送受信を行い、これらを制御するように構成されている。なお、紙幣制御部２０２には、様々な情報を記憶する紙幣記憶部２０３と、カードに記録された情報を読み取るカードリーダ２７０と、紙幣収納部２６０、出金リジェクト部２３０、回収カセット２３５等の所定のユニットをロックしたり、紙幣収納部２６０、出金リジェクト部２３０、回収カセット２３５等の所定のユニットを解錠したりする電磁ロック部２７５も接続されている。
【手続補正２】
【補正対象書類名】明細書
【補正対象項目名】００４０
【補正方法】変更
【補正の内容】
【００４０】
図５に示すように、棒金管理機５００の棒金制御部５０２には、インターフェース５３２、棒金検知部５８０、開閉検知部５７０、ロック部５６０等がそれぞれ接続されている。そして、棒金制御部５０２は、棒金検知部５８０、開閉検知部５７０、ロック部５６０等と信号の送受信を行い、これらを制御するように構成されている。なお、棒金制御部５０２には、様々な情報を記憶する棒金記憶部５０３も接続されている。
【手続補正３】
【補正対象書類名】明細書
【補正対象項目名】００４８
【補正方法】変更
【補正の内容】
【００４８】
図５に示すように、本実施の形態の硬貨処理装置１００の上位制御部１０１には、インターフェース１３２と、後述する操作表示部１５２と、物理的なボタン等からなる操作部１５３と、様々な情報を記憶する上位記憶部１５５が接続されている。また、硬貨制御部１０２には、後述する、インターフェース１３３、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６５、収容量検知センサ１５８、残留検知センサ１５７、様々な情報を記憶する硬貨記憶部１０３等が接続されている。そして、上位制御部１０１は、操作表示部１５２、操作部１５３及び上位記憶部１５５等と信号の送受信を行い、これらを制御するように構成されている。また、硬貨制御部１０２は、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６５、収容量検知センサ１５８、残留検知センサ１５７、様々な情報を記憶する硬貨記憶部１０３等と信号の送受信を行い、これらを制御するように構成されている。なお、硬貨制御部１０２には、カードに記録された情報を読み取るカードリーダ１７０と、硬貨収納部１６０等の所定のユニットをロックしたり、硬貨収納部１６０等の所定のユニットを解錠したりする電磁ロック部１７５も接続されている。
【手続補正４】
【補正対象書類名】図面
【補正対象項目名】図５
【補正方法】変更
【補正の内容】
【図５】
2015219889.tif 000025